(57)【要約】      （修正有）【課題】一斉着信等の複数の電話機の状態を同時に変える機能における対象電話機の数を、電話機の状態を表示する機能の処理速度のために、制限する必要がない電話交換装置を提供すること。【解決手段】電話機の状態を伝送網に送信し、単数または複数の他システムに通知する機能を有する電話交換装置であって、電話機の状態に変化があったときに、伝送手段３は、一度に所定量の情報のみを送信し、前記リフレッシュ手段６は、前記受信バッファから所定量の情報のみを受信し、前記送信バッファ手段２および前記受信バッファ手段５は、記憶した情報が処理されていなくても古い情報から順次上書きされることを特徴とする。【選択図】    図１
2004328421.tif 000002
【特許請求の範囲】
【請求項１】
電話機の状態を伝送網に送信し、単数または複数の他システムに通知する機能を有する電話交換装置であって、
電話機の状態に変化があったときに、この電話機の状態を前記伝送網に通信するための情報を記憶する送信バッファ手段と、
前記送信バッファ手段に記憶された情報を前記伝送網に送信するための伝送手段と、
定期的にリフレッシュ命令を発生するタイマ手段と、
前記タイマ手段により発せられたリフレッシュ命令を記憶する受信バッファ手段と、
前記受信バッファ手段にあるリフレッシュ命令に従い電話機の状態を検索し、電話機の状態を前記伝送網に通信するための情報を前記送信バッファ手段に記録するリフレッシュ手段とを具備しており、
前記伝送手段は、一度に所定量の情報のみを送信し、
前記リフレッシュ手段は、前記受信バッファから所定量の情報のみを受信し、
前記送信バッファ手段および前記受信バッファ手段は、記憶した情報が処理されていなくても古い情報から順次上書きされることを特徴とする電話交換装置。
【発明の詳細な説明】
【０００１】
【発明の属する技術分野】
本発明は、構内交換装置等の電話交換装置における電話機の状態を伝送網を介して伝送する処理方式に関する。
【０００２】
【従来の技術】
電話交換装置において、収容される内線に接続された電話機の状態を伝送網を介して、別の複数の電話交換装置や表示装置に通知するサービスがある。例えば、特許文献１がある。
【特許文献１】
特開平３−１７４８６０号公報。
【０００３】
【発明が解決しようとする課題】
しかし、電話交換装置において、電話機の状態を伝送網を介して、別の複数の交換機や表示装置に通知するサービスにおいて、複数の電話機の状態が一斉に変化するサービス（一斉着信等）が使用された場合、電話交換装置の処理時間がかかり、一般の交換処理における応答が悪くなる問題があった。
本発明は、上記課題を解決しようとするものであり、一斉着信等の複数の電話機の状態を同時に変える機能における対象電話機の数について、電話機の状態を表示する機能の処理速度のために制限する必要がない電話交換装置を提供することを目的とする。
【０００４】
【課題を解決するための手段】
本発明の電話交換装置は、電話機の状態を伝送網に送信し、単数または複数の他システムに通知する機能を有する電話交換装置であって、電話機の状態に変化があったときに、この電話機の状態を前記伝送網に通信するための情報を記憶する送信バッファ手段と、前記送信バッファ手段に記憶された情報を前記伝送網に送信するための伝送手段と、定期的にリフレッシュ命令を発生するタイマ手段と、前記タイマ手段により発せられたリフレッシュ命令を記憶する受信バッファ手段と、前記受信バッファ手段にあるリフレッシュ命令に従い電話機の状態を検索し、電話機の状態を前記伝送網に通信するための情報を前記送信バッファ手段に記録するリフレッシュ手段とを具備しており、前記伝送手段は、一度に所定量の情報のみを送信し、前記リフレッシュ手段は、前記受信バッファから所定量の情報のみを受信し、前記送信バッファ手段および前記受信バッファ手段は、記憶した情報が処理されていなくても古い情報から順次上書きされることを特徴とする。
【０００５】
【発明の実施の形態】
以下、本発明の実施の形態について図面を参照して説明する。
図１は、本発明の電話交換装置における電話機状態通知信号の伝送処理方式を示した図である。
【０００６】
まず、本発明の電話交換装置における電話機状態通知信号の伝送処理方式の通常動作を説明する。
（通常動作）
［１］はじめに、電話機の状態が変化したとき、送信バッファに伝送路に送信される情報（電話機の状態を示す情報等）が送信バッファ手段（２）に記録される。（（１）の処理）
【０００７】
［２］次に、伝送手段（３）が、送信バッファ（２）に記憶された情報（電話機の状態を示す情報等）を伝送路に送信する。
［２−１］一斉着信等により電話機の状態が一斉に変化した場合、上記［１］の処理で、送信バッファ（２）に複数の電話機の状態が一斉に書き込まれる。伝送手段（３）は、この情報のうち、先頭から一定数（所定量）のみ伝送路に送信する。
［２−２］次に伝送手段（３）起動されたとき、送信バッファ（２）に記録された情報から、先に処理した情報の続きから、一定数のみ伝送路に送信する。
［２−３］一斉着信が繰り返し実施された場合、伝送バッファ（２）に残っている情報で、未送信のものは、新しく発生した情報で古いものから上書きされる。
（つまり、処理されなかった古い情報は、捨てられる）
【０００８】
次に、本発明の電話交換装置における電話機状態通知信号の伝送処理方式のリフレッシュ動作を説明する。
（リフレッシュ動作）
［３］タイマ手段（４）により、リフレッシュ命令が受信バッファ（５）に記録される。
［４］リフレッシュ手段（６）は、交換処理が実行されていない場合に実行される。
【０００９】
［５］リフレッシュ手段（６）が、受信バッファ（５）を読み、リフレッシュ処理を実行する。このリフレッシュ処理は、全電話機のうち、予め決められた台数のみに対して実行する。例えば、１回の実行でＮ個の電話機の状態を調べ、それら電話機の状態を全て伝送可能な情報に変換して送信バッファ（２）に書き込む。次のリフレッシュ命令は、次のＮ個の電話機に対して処理する。このようにして、（Ｎ／全電話機の台数）回のリフレッシュ命令を処理することにより、全電話機のリフレッシュが一通り実施される。
なお、一斉着信等で交換処理時間に多くの時間を要するような場合、リフレッシュ手段が実行される前に、タイマ手段が次のリフレッシュ命令を受信バッファ（５）に書き込む。このリフレッシュ命令は、既に受信バッファ（５）に書かれている未処理のリフレッシュ命令に対して上書きされる。結果、交換処理に時間がかかった場合、リフレッシュ命令は捨てられることになり、交換機の負荷を上げるリフレッシュ処理が実行されないことになる。
【００１０】
［６］伝送手段（３）が、送信バッファ（２）に記録された情報を伝送路に送信する。この時、上記［２］の処理が同様に実施される。
上述した制御が、本発明の一実施形態における電話機状態通知信号の伝送処理方式である。結果、一斉着信等の電話機状態の一斉の変化時においても、交換処理を犠牲にせず、リフレッシュ処理と組み合わせることにより確実に伝送網に電話機状態を通知することが可能となる。
【００１１】
尚、電話交換装置の構成としては、接続される電話機に対する交換処理ができるものであれば良いが、一般に、上述した制御は電話交換装置の内部のＣＰＵで処理される。
また、伝送網は、特許文献１に示されるような所謂電話通信用の専用回線であっても、ＩＰパケットを伝送するＬＡＮ等の回線であっても良く、本発明はいずれにも適用可能である。
【００１２】
【発明の効果】
本発明の電話交換装置は、電話機の状態が一斉に変化した場合、電話機状態を伝送網に送信する処理が一斉に発生するため、送信処理を一定量のみ行ない、定期的に発せられるリフレッシュ命令によるリフレッシュ処理により、送信できなかった電話機状態を送信する。定期的に発せられるリフレッシュ命令は、一定量のみ受け付け、受け付けられない分は廃棄し、次に受信するリフレッシュ命令により賄う方式とする。これにより、電話機の状態を伝送網に通知するリアルタイム性は多少損なわれるが、交換処理に対する影響をなくすことができ、一斉着信等の複数電話機の状態を同時に変える機能における対象電話機の数について、電話機状態を表示する機能の処理速度のために制限する必要がなくなる。
【図面の簡単な説明】
【図１】本発明の一実施形態に係る電話交換装置における電話機状態通知信号の伝送処理方式を示した図。
【符号の説明】
（２）送信バッファ手段
（３）伝送手段
（４）タイマ手段
（５）受信バッファ手段
（６）リフレッシュ手段
【図１】
2004328421.tif 000003